【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示する変動表示部を備え、該変動表示部に導出表示された識別情報の表示結果が予め定められた特定表示結果となったときに、遊技者にとって有利な特定遊技状態に制御する遊技機であって、
遊技者が操作可能な操作手段と、
前記特定遊技状態に制御するか否かを、識別情報の表示結果が導出表示される以前に決定する事前決定手段と、
該事前決定手段による決定に基づいて、前記変動表示部において、識別情報の変動表示が開始されてから表示結果が導出表示されるまでに一旦非特定表示結果となる識別情報を仮停止させた後に変動表示を再度実行する再変動を１回または複数回実行する再変動表示を行なう再変動表示パターンを含む予め定められた複数種類の識別情報の変動表示パターンの中から１つの変動表示パターンを選択する変動表示パターン選択手段と、
該変動表示パターン選択手段が選択した変動表示パターンに基づいて、識別情報の変動表示を実行する変動表示実行手段と、
前記変動表示パターン選択手段により前記再変動表示パターンが選択されたときの識別情報の変動表示において、前記特定遊技状態となることを予告する予告演出を実行可能な状態とするか否かを選択するとともに、前記予告演出を実行するときの予告演出態様を複数種類の予告演出態様の中から選択する予告演出選択手段と、
該予告演出選択手段により前記予告演出を実行可能な状態とする選択がされたときに、前記再変動表示パターンで実行される変動表示中において前記操作手段が操作されたことを条件として、選択された予告演出態様で予告演出を実行する予告演出実行手段とを備え、
前記予告演出選択手段は、前記変動表示パターン選択手段により選択された再変動表示パターンで実行される再変動の合計回数に応じて、前記複数種類の予告演出態様を異なる選択割合で選択することを特徴とする、遊技機。
【請求項２】
各々が識別可能な複数種類の識別情報を変動表示する変動表示部を備え、該変動表示部に導出表示された識別情報の表示結果が予め定められた特定表示結果となったときに、遊技者にとって有利な特定遊技状態に制御する遊技機であって、
遊技者が操作可能な操作手段と、
前記特定遊技状態に制御するか否かを、識別情報の表示結果が導出表示される以前に決定する事前決定手段と、
該事前決定手段による決定に基づいて、前記変動表示部において、識別情報の変動表示が開始されてから表示結果が導出表示されるまでに一旦非特定表示結果となる識別情報を仮停止させた後に変動表示を再度実行する再変動を１回または複数回実行する再変動表示を行なう再変動表示パターンを含む予め定められた複数種類の識別情報の変動表示パターンの中から１つの変動表示パターンを選択する変動表示パターン選択手段と、
該変動表示パターン選択手段が選択した変動表示パターンに基づいて、識別情報の変動表示を実行する変動表示実行手段と、
前記変動表示パターン選択手段により前記再変動表示パターンが選択されたときの識別情報の変動表示において、前記特定遊技状態となることを予告する予告演出を実行可能な状態とするか否かを選択するとともに、前記予告演出を実行するときの予告演出態様を複数種類の予告演出態様の中から選択する予告演出選択手段と、
該予告演出選択手段により前記予告演出を実行可能な状態とする選択がされたときに、前記再変動表示パターンで実行される変動表示中において前記操作手段が操作されたことを条件として、選択された予告演出態様で予告演出を実行する予告演出実行手段とを備え、
前記予告演出選択手段は、前記変動表示パターン選択手段により選択された再変動表示パターンにおける何回目の再変動表示における前記予告演出かに応じて、前記複数種類の予告演出態様を異なる選択割合で選択することを特徴とする、遊技機。
【請求項３】
前記予告演出選択手段は、前記再変動表示パターンにおいて実行される再変動表示のそれぞれにおける予告演出態様を選択するときに、予告演出のそれぞれについて、後に選択される予告演出の方が、前に選択される予告演出と比べて、予告演出が実行された後に前記特定遊技状態となる信頼度が低くならないように、予告演出態様を選択することを特徴とする、請求項１または２に記載の遊技機。
【請求項４】
前記事前決定手段により前記特定遊技状態に制御しないと決定されたときに、前記識別情報の変動表示状態を所定のリーチ状態とするか否かを決定するリーチ決定手段と、
前記リーチ決定手段による決定結果に基づいて、前記識別情報の変動表示パターン種別を複数種類のいずれかに決定する変動表示パターン種別決定手段とをさらに備え、
前記変動表示パターン選択手段は、前記変動表示パターン種別決定手段により決定された変動表示パターン種別に含まれる変動表示パターンの中から変動表示パターンを選択し、
前記変動表示パターン種別決定手段は、前記リーチ決定手段によってリーチ状態としない旨の決定がなされたことに対応して、前記再変動表示パターンを含む複数種類の変動表示パターン種別のいずれかに決定し、
前記変動表示パターン選択手段は、前記リーチ決定手段によってリーチ状態としない旨の決定がなされたこと、および、前記変動表示パターン種別決定手段によって前記再変動表示パターンを含む変動表示パターン種別に決定されたことに対応して、前記再変動表示を実行する非リーチ変動表示パターンを選択可能であることを特徴とする、請求項１から３のいずれかに記載の遊技機。
【請求項５】
前記変動表示パターン選択手段が選択する前記再変動表示パターンは、前記再変動表示において前記仮停止後にリーチ状態となる第１の再変動表示パターンと、前記再変動表示において前記仮停止後に一部の変動表示部で再変動表示を実行した後に前記特定表示結果が導出表示される第２の再変動表示パターンとを含むことを特徴とする、請求項１から４のいずれかに記載の遊技機。
【請求項６】
前記再変動表示が実行されるときに所定の報知を行なう報知手段と、
前記変動表示実行手段が前記再変動表示を実行するときに、前記報知手段による報知を行なう報知演出として、複数種類の報知態様の中から選択した報知態様で報知演出を実行する報知演出手段とをさらに備えたことを特徴とする、請求項１から５のいずれかに記載の遊技機。
【請求項７】
前記報知演出手段は、前記複数種類の報知態様のうちのいずれか１つを選択した報知態様で行なう報知演出と、前記複数種類の報知態様のうちのいずれか複数を選択して組合せた報知態様で行なう報知演出とを実行可能であり、
前記報知演出手段が実行する報知演出は、選択した報知態様に応じて、報知演出が実行された後に前記特定遊技状態となる信頼度が異なることを特徴とする、請求項６に記載の遊技機。
【請求項８】
始動条件が成立した後に可変表示の開始条件が成立したことに基づいて、各々が識別可能な複数種類の識別情報を変動表示する変動表示部を備え、該変動表示部に導出表示された識別情報の表示結果が予め定められた特定表示結果となったときに、遊技者にとって有利な特定遊技状態に制御する遊技機であって、
遊技者が操作可能な操作手段と、
前記始動条件は成立しているが前記開始条件が成立していない変動表示に関するデータを前記開始条件が成立するまで保留して記憶する保留記憶手段と、
該保留記憶手段に記憶されたデータについて、前記始動条件の成立に基づく前記開始条件が成立する前に当該始動条件の成立に基づく変動表示の表示結果により前記特定遊技状態に制御するか否かを、識別情報の表示結果が導出表示される以前に決定する事前決定手段と、
該事前決定手段による決定に基づいて、予め定められた複数種類の識別情報の変動表示パターンの中から１つの変動表示パターンを選択する変動表示パターン選択手段と、
該変動表示パターン選択手段が選択した変動表示パターンに基づいて、識別情報の変動表示を実行する変動表示実行手段と、
前記事前決定手段により前記特定遊技状態に制御すると決定されたときに、当該特定遊技状態に制御すると決定された始動条件の成立に基づく変動表示の表示結果が導出表示される以前の複数回の変動表示に亘って前記特定遊技状態に制御すると決定された旨を予告する予告演出を実行可能な状態とするか否かを選択するとともに、前記予告演出を実行するときの予告演出態様を複数種類の予告演出態様の中から選択する予告演出選択手段と、
該予告演出選択手段により前記予告演出を実行可能な状態とする選択がされたときに、前記予告演出を実行可能な変動表示中において前記操作手段が操作されたことを条件として、前記予告演出選択手段により選択された予告演出態様で予告演出を実行する予告演出実行手段とを備え、
前記予告演出選択手段は、予め定められた選択割合決定条件に基づいて、予告演出が実行されるときの各変動表示における前記複数種類の予告演出態様を異なる割合で選択することを特徴とする、遊技機。
【手続補正２】
【補正対象書類名】明細書
【補正対象項目名】０００７
【補正方法】変更
【補正の内容】
【０００７】
（１）  各々が識別可能な複数種類の識別情報（演出図柄）を変動表示する変動表示部（演出表示装置９）を備え、該変動表示部に導出表示された識別情報の表示結果が予め定められた特定表示結果（大当り図柄）となったときに、遊技者にとって有利な特定遊技状態（大当り遊技状態）に制御する遊技機（パチンコ遊技機１）であって、
遊技者が操作可能な操作手段（操作ボタン３０）と、
前記特定遊技状態に制御するか否かを、識別情報の表示結果が導出表示される以前に決定する事前決定手段（遊技制御用マイクロコンピュータ５６０、図３５のＳ６１）と、
該事前決定手段による決定に基づいて、前記変動表示部において、識別情報の変動表示が開始されてから表示結果が導出表示されるまでに一旦非特定表示結果となる識別情報を仮停止させた後に変動表示を再度実行する再変動を１回または複数回実行する再変動表示を行なう再変動表示パターン（擬似連」の演出を含む変動パターン）を含む予め定められた複数種類の識別情報の変動表示パターン（変動パターン）の中から１つの変動表示パターンを選択する変動表示パターン選択手段（遊技制御用マイクロコンピュータ５６０、図３６のＳ１０１〜Ｓ１０５）と、
該変動表示パターン選択手段が選択した変動表示パターンに基づいて、識別情報の変動表示を実行する変動表示実行手段（演出制御用マイクロコンピュータ１００、図７９のＳ５１８〜Ｓ５２１および図８５のＳ８４１〜Ｓ８４５）と、
前記変動表示パターン選択手段により前記再変動表示パターンが選択されたときの識別情報の変動表示において、前記特定遊技状態となることを予告する予告演出を実行可能な状態とするか否かを選択するとともに、前記予告演出を実行するときの予告演出態様を複数種類の予告演出態様の中から選択する予告演出選択手段（演出制御用マイクロコンピュータ１００、図７９のＳ５１６ａ、図８１のＳ５３２〜Ｓ５３３）と、
該予告演出選択手段により前記予告演出を実行可能な状態とする選択がされたときに、前記再変動表示パターンで実行される変動表示中において前記操作手段が操作されたことを条件として、選択された予告演出態様で予告演出を実行する予告演出実行手段（演出制御用マイクロコンピュータ１００、図７９のＳ５２０、図８５のＳ８４５、図８７のＳＴ１６ａ）とを備え、
前記予告演出選択手段は、前記変動表示パターン選択手段により選択された再変動表示パターンで実行される再変動の合計回数に応じて、前記複数種類の予告演出態様を異なる選択割合で選択する（図６７（Ａ），（Ｂ）で擬似連の合計回数（２回、３回）に応じて各段階の変動での予告演出に必要なテーブルを選択する。図６８および図６９のように、擬似連の合計変動回数（２回、３回）に応じて選択されるテーブルは、予告メッセージの選択割合が異なる）。
【手続補正３】
【補正対象書類名】明細書
【補正対象項目名】０００８
【補正方法】変更
【補正の内容】
【０００８】
このような構成によれば、再変動表示パターンで実行される変動表示中において操作手段が操作されたことを条件として、選択された予告演出態様で予告演出が実行されるので、遊技に対する遊技者の参加意欲を増加させることができる。また、特定遊技状態に制御するか否かの決定に基づいて、再変動表示パターンを含む変動表示パターンが選択される。そして、操作手段が操作されたことを条件として実行される予告演出については、再変動表示パターンで実行される再変動の合計回数に応じて、複数種類の予告演出態様が異なる選択割合で選択される。これにより、遊技に対する遊技者の参加意欲を増加させること、再変動表示における再変動の合計回数に対する遊技者の期待感を高めること、および、再変動表示に関する演出のバリエーションを増加させることにより、再変動表示に関する演出の面白みを向上させ、遊技の興趣を向上させることができる。
【手続補正４】
【補正対象書類名】明細書
【補正対象項目名】０００９
【補正方法】変更
【補正の内容】
【０００９】
（２）  各々が識別可能な複数種類の識別情報（演出図柄）を変動表示する変動表示部（演出表示装置９）を備え、該変動表示部に導出表示された識別情報の表示結果が予め定められた特定表示結果（大当り図柄）となったときに、遊技者にとって有利な特定遊技状態（大当り遊技状態）に制御する遊技機（パチンコ遊技機１）であって、
遊技者が操作可能な操作手段（操作ボタン３０）と、
前記特定遊技状態に制御するか否かを、識別情報の表示結果が導出表示される以前に決定する事前決定手段（遊技制御用マイクロコンピュータ５６０、図３５のＳ６１）と、
該事前決定手段による決定に基づいて、前記変動表示部において、識別情報の変動表示が開始されてから表示結果が導出表示されるまでに一旦非特定表示結果となる識別情報を仮停止させた後に変動表示を再度実行する再変動を１回または複数回実行する再変動表示を行なう再変動表示パターン（擬似連」の演出を含む変動パターン）を含む予め定められた複数種類の識別情報の変動表示パターン（変動パターン）の中から１つの変動表示パターンを選択する変動表示パターン選択手段（遊技制御用マイクロコンピュータ５６０、図３６のＳ１０１〜Ｓ１０５）と、
該変動表示パターン選択手段が選択した変動表示パターンに基づいて、識別情報の変動表示を実行する変動表示実行手段（演出制御用マイクロコンピュータ１００、図７９のＳ５１８〜Ｓ５２１および図８５のＳ８４１〜Ｓ８４５）と、
前記変動表示パターン選択手段により前記再変動表示パターンが選択されたときの識別情報の変動表示において、前記特定遊技状態となることを予告する予告演出を実行可能な状態とするか否かを選択するとともに、前記予告演出を実行するときの予告演出態様を複数種類の予告演出態様の中から選択する予告演出選択手段（演出制御用マイクロコンピュータ１００、図７９のＳ５１６ａ、図８１のＳ５３２〜Ｓ５３３）と、
該予告演出選択手段により前記予告演出を実行可能な状態とする選択がされたときに、前記再変動表示パターンで実行される変動表示中において前記操作手段が操作されたことを条件として、選択された予告演出態様で予告演出を実行する予告演出実行手段（演出制御用マイクロコンピュータ１００、図８９のＳ８４５、図８７のＳＴ１６ａ）とを備え、
前記予告演出選択手段は、前記変動表示パターン選択手段により選択された再変動表示パターンにおける何回目の再変動表示における前記予告演出かに応じて（プロセスデータの内容に基づいて何回目の変動表示かを判断し）、前記複数種類の予告演出態様を異なる選択割合で選択する（現在の変動表示が何回目かに応じて、図６７（Ａ），（Ｂ）で該当する段階の変動での予告演出に必要なテーブルを選択する。図６８および図６９のように、擬似連の合計回数（２回、３回）に応じて選択されるテーブルは、変動回ごとに予告メッセージの選択割合が異なる）。
【手続補正５】
【補正対象書類名】明細書
【補正対象項目名】００１０
【補正方法】変更
【補正の内容】
【００１０】
このような構成によれば、再変動表示パターンで実行される変動表示中において操作手段が操作されたことを条件として、選択された予告演出態様で予告演出が実行されるので、遊技に対する遊技者の参加意欲を増加させることができる。また、特定遊技状態に制御するか否かの決定に基づいて、再変動表示パターンを含む変動表示パターンが選択される。そして、操作手段が操作されたことを条件として実行される予告演出については、再変動表示パターンにおける何回目の再変動表示における予告演出かに応じて、複数種類の予告演出態様が異なる選択割合で選択される。これにより、遊技に対する遊技者の参加意欲を増加させること、再変動表示における各回の再変動において異なる期待感を遊技者に与えること、および、再変動表示に関する演出のバリエーションを増加させることにより、再変動表示に関する演出の面白みを向上させ、遊技の興趣を向上させることができる。
【手続補正６】
【補正対象書類名】明細書
【補正対象項目名】００２１
【補正方法】変更
【補正の内容】
【００２１】
（８）  始動条件（たとえば、第１始動入賞口１３への遊技球の入賞や第２始動入賞口１４への遊技球の入賞）が成立した後に可変表示の開始条件（たとえば、保留記憶数が０でない場合であって、第１特別図柄および第２特別図柄の変動表示が実行されていない状態であり、かつ、大当り遊技が実行されていない状態）が成立したことに基づいて、各々が識別可能な複数種類の識別情報（演出図柄）を変動表示する変動表示部（演出表示装置９）を備え、該変動表示部に導出表示された識別情報の表示結果が予め定められた特定表示結果（大当り図柄）となったときに、遊技者にとって有利な特定遊技状態（大当り遊技状態）に制御する遊技機（パチンコ遊技機１）であって、
遊技者が操作可能な操作手段（操作ボタン３０）と、
前記始動条件は成立しているが前記開始条件が成立していない変動表示に関するデータを前記開始条件が成立するまで保留して記憶する保留記憶手段（第４実施形態の遊技制御用マイクロコンピュータ）と、
該保留記憶手段に記憶されたデータについて、前記始動条件の成立に基づく前記開始条件が成立する前に当該始動条件の成立に基づく変動表示の表示結果により前記特定遊技状態に制御するか否かを、識別情報の表示結果が導出表示される以前に決定する事前決定手段（第４実施形態の遊技制御用マイクロコンピュータ）と、
該事前決定手段による決定に基づいて、予め定められた複数種類の識別情報の変動表示パターンの中から１つの変動表示パターンを選択する変動表示パターン選択手段（第４実施形態の遊技制御用マイクロコンピュータ）と、
該変動表示パターン選択手段が選択した変動表示パターンに基づいて、識別情報の変動表示を実行する変動表示実行手段（第４実施形態の演出制御用マイクロコンピュータ）と、
前記事前決定手段により前記特定遊技状態に制御すると決定されたときに、当該特定遊技状態に制御すると決定された始動条件の成立に基づく変動表示の表示結果が導出表示される以前の複数回の変動表示に亘って前記特定遊技状態に制御すると決定された旨を予告する予告演出（連続予告）を実行可能な状態とするか否かを選択するとともに、前記予告演出を実行するときの予告演出態様を複数種類の予告演出態様の中から選択する予告演出選択手段（第４実施形態の演出制御用マイクロコンピュータ）と、
該予告演出選択手段により前記予告演出を実行可能な状態とする選択がされたときに、前記予告演出を実行可能な変動表示中において前記操作手段が操作されたことを条件として、前記予告演出選択手段により選択された予告演出態様で予告演出を実行する予告演出実行手段（第４実施形態の演出制御用マイクロコンピュータ）とを備え、
前記予告演出選択手段は、予め定められた選択割合決定条件に基づいて、予告演出が実行されるときの各変動表示における前記複数種類の予告演出態様を異なる割合で選択する（現在の変動表示が連続予告の何回目かに応じて、図６７（Ａ），（Ｂ）のようなデータテーブルで該当する段階の予告演出に必要なテーブルを選択する。図６８および図６９のように、連続予告の合計回数（２回、３回）に応じて選択されるテーブルは、予告表示の選択割合が異なる）。
【手続補正７】
【補正対象書類名】明細書
【補正対象項目名】００２２
【補正方法】変更
【補正の内容】
【００２２】
このような構成によれば、特定遊技状態に制御すると決定された始動条件の成立に基づく変動表示の表示結果が導出表示される以前の複数回の変動表示に亘って特定遊技状態に制御すると決定された旨を予告する予告演出について、操作手段が操作されたことを条件として、選択された予告演出態様で予告演出が実行されるので、遊技に対する遊技者の参加意欲を増加させることができる。また、特定遊技状態に制御するか否かの決定に基づいて、変動表示パターンが選択される。そして、操作手段が操作されたことを条件として実行される予告演出については、特定遊技状態に制御すると決定された始動条件の成立に基づく変動表示の表示結果が導出表示される以前の複数回の変動表示における何回目の変動表示での予告演出かに応じて、複数種類の予告演出態様が異なる選択割合で選択される。つまり、予め定められた選択割合決定条件に基づいて、予告演出が実行されるときの各変動表示における複数種類の予告演出態様が、異なる割合で選択される。これにより、複数回の変動表示における各回の変動において異なる期待感を遊技者に与えること、および、複数回の変動表示に関する演出のバリエーションを増加させることにより、複数回の変動表示に関する演出の面白みを向上させ、遊技の興趣を向上させることができる。